(57)【要約】【課題】会員登録を行う携帯電話向けのウェブサイトを設けるサーバ装置にアクセスしてきた携帯電話機のキャリア移行を、サーバ装置で判別可能にする。【解決手段】サーバ装置１０は、ユーザが会員登録を行う際、ユーザが使用する携帯電話機３の固有のＵＩＤ（端末情報）に対応付けてユニークな会員番号を発行して会員登録テーブル２２に登録する。会員登録後、発行された会員番号およびＵＩＤを送信してサーバ装置１０へユーザがアクセスを行った場合、サーバ装置１０は受信した会員番号と同じ番号に対応付けられたＵＩＤを会員登録テーブル２２から抽出し、抽出したＵＩＤと今回受信したＵＩＤとの比較を行う。比較の結果、ＵＩＤが相異する場合、各ＵＩＤに含まれるキャリア情報に基づき、サーバ装置１０はユーザが使用する携帯電話機のキャリアが変更されたか否かを判別する。【選択図】図１
2008078956.tif 000002
【特許請求の範囲】
【請求項１】
複数の携帯電話会社のそれぞれに対応するウェブサイトを設けたサーバ装置が、携帯電話機からのアクセスを受けて携帯電話機固有の端末情報を受信し、受信した端末情報に基づいてアクセス元の携帯電話機を特定する携帯電話機特定方法において、
前記サーバ装置は、
受信した端末情報に対して固有の登録番号を発行し、
発行した登録番号を、前記端末情報に対応付けて記憶し、
発行した登録番号をアクセス元の携帯電話機へ送信し、
前記登録番号の発行に係るアクセスとは別のアクセスを受けて、登録番号および端末情報を受信した場合、記憶する中から、受信した登録番号と同じ登録番号に対応付けられた端末情報を抽出し、
抽出した端末情報と、受信した端末情報とを比較し、
各端末情報の比較の結果に基づいて、前記別のアクセスを行った携帯電話機と、登録番号の発行に係るアクセスを行った携帯電話機とが相異するか否かを特定することを特徴とする携帯電話機特定方法。
【請求項２】
前記サーバ装置は、
各端末情報の比較の結果に基づいて、前記別のアクセスを行った携帯電話機が対応する携帯電話会社と、登録番号の発行に係るアクセスを行った携帯電話機が対応する携帯電話会社とが相異するか否かを特定する請求項１に記載の携帯電話機特定方法。
【請求項３】
前記サーバ装置は、
前記別のアクセスを行った携帯電話機と、登録番号の発行に係るアクセスを行った携帯電話機とが相異すると特定した場合、前記別のアクセスを行った携帯電話機へ特典情報を送信する請求項１又は請求項２に記載の携帯電話機特定方法。
【請求項４】
前記サーバ装置は、
登録番号の発行に際に、アクセス中の携帯電話機からパスワードを受信し、
受信したパスワードを、前記端末情報および前記登録番号に対応付けて記憶し、
前記別のアクセスを受けて、該別のアクセスを行った携帯電話機から送信されたパスワード、端末情報および登録番号を受信した場合、受信した登録番号と同じ登録番号に対応付けられたパスワードを抽出し、
抽出したパスワードと、受信したパスワードとが一致するか否かを判断し、
両パスワードが一致すると判断した場合、各端末情報の比較を行う請求項１乃至請求項３のいずれか１つに記載の携帯電話機特定方法。
【請求項５】
前記サーバ装置は、
各端末情報の比較の結果に基づいて両端末情報が異なると判断した場合、別のアクセスときに受信した端末情報を、前記登録番号に対応付けて記憶する請求項４に記載の携帯電話機特定方法。
【請求項６】
前記サーバ装置は、
前記ウェブサイトに係るネットワーク上の場所を表すと共に、発行した登録番号を含むアドレス情報を生成し、
生成したアドレス情報をアクセス元の携帯電話機へ送信する請求項１乃至請求項５のいずれか１つに記載の携帯電話機特定方法。
【請求項７】
前記サーバ装置は、
選択可能な登録選択部を配置すると共に、前記アドレス情報を前記登録選択部に関連付けて埋め込んだサイトページに応じたページデータをアクセス元の携帯電話機へ送信し、
前記ページデータを受信した携帯電話機は、
表示部を備えると共に、登録テーブルを記憶しており、
受信したページデータに応じたサイトページを前記表示部に表示した状態で、前記登録選択部の選択を受け付けた場合、前記登録選択部に関連付けたアドレス情報を前記登録テーブルに登録する請求項６に記載の携帯電話機特定方法。
【請求項８】
前記携帯電話機は、前記登録テーブルとしてアドレス情報の登録が可能なアドレス帳テーブルを記憶し、
前記登録選択部の選択を受け付けた場合、登録先として前記アドレス帳テーブルの選択を受け付ける選択メニューを表示し、
前記選択メニューで前記アドレス帳テーブルの選択を受け付けた場合、前記アドレス情報を前記アドレス帳テーブルに登録する請求項７に記載の携帯電話機特定方法。
【請求項９】
前記携帯電話機は、前記登録テーブルとしてアドレス情報の登録が可能なブックマークテーブルを記憶し、
前記登録ボタンの選択を受け付けた場合、登録先として前記ブックマークテーブルの選択を受け付ける選択メニューを表示し、
前記選択メニューで前記ブックマークテーブルの選択を受け付けた場合、前記アドレス情報を前記ブックマークテーブルに登録する請求項７又は請求項８に記載の携帯電話機特定方法。
【請求項１０】
前記サーバ装置は、
前記ウェブサイトの名称を表すサイト名情報を、前記登録選択部に関連付けて埋め込んだサイトページに応じたページデータを送信し、
前記携帯電話機は、
前記アドレス情報と共に前記サイト名情報を登録する請求項７乃至請求項９のいずれか１つに記載の携帯電話機特定方法。
【請求項１１】
前記サーバ装置は、
前記アドレス情報を選択可能に配置したサイトページに応じたページデータをアクセス元の携帯電話機へ送信し、
前記ページデータを受信した携帯電話機は、
表示部を備えると共に、登録テーブルを記憶しており、
受信したページデータに応じたサイトページを前記表示部に表示した状態で、前記アドレス情報の選択を受け付けた場合、前記アドレス情報の前記登録テーブルへの登録又は前記アドレス情報に基づくアクセスのいずれの選択を受け付ける選択メニューを表示し、
前記選択メニューで前記登録テーブルへの登録の選択を受け付けた場合、前記アドレス情報を前記登録テーブルに登録し、
前記選択メニューで前記アクセス情報に基づくアクセスの選択を受け付けた場合、前記アクセス情報に基づいてアクセスを行う請求項６に記載の携帯電話機特定方法。
【請求項１２】
前記携帯電話機は、前記登録テーブルとしてアドレス情報の登録が可能なアドレス帳テーブルを記憶し、
前記アドレス帳テーブルへの登録の選択を受け付ける前記選択メニューを表示し、
前記選択メニューで前記アドレス帳テーブルへの登録の選択を受け付けた場合、前記アドレス情報を前記アドレス帳テーブルに登録する請求項１１に記載の携帯電話機特定方法。
【請求項１３】
前記携帯電話機は、前記登録テーブルとしてアドレス情報の登録が可能なブックマークテーブルを記憶し、
前記ブックマークテーブルへの登録の選択を受け付ける前記選択メニューを表示し、
前記選択メニューで前記ブックマークテーブルへの登録の選択を受け付けた場合、前記アドレス情報を前記ブックマークテーブルに登録する請求項１１又は請求項１２に記載の携帯電話機特定方法。
【請求項１４】
複数の携帯電話会社のそれぞれに対応するウェブサイトを設け、外部の携帯電話機からアクセスを受けて受信した固有の端末情報に基づいてアクセス元の携帯電話機を特定するサーバ装置において、
受信した端末情報に対して固有の登録番号を発行する手段と、
発行した登録番号を、前記端末情報に対応付けて登録する番号登録テーブルと、
発行した登録番号をアクセス元へ送信する手段と、
前記登録番号の発行に係るアクセスとは別のアクセスを受けて、登録番号および端末情報を受信した場合、前記番号登録テーブルの中から、受信した登録番号と同じ登録番号に対応付けられた端末情報を抽出する手段と、
抽出した端末情報と、受信した端末情報とを比較する比較手段と、
各端末情報の比較の結果に基づいて、前記別のアクセスを行った携帯電話機と、登録番号の発行に係るアクセスを行った携帯電話機とが相異するか否かを特定する手段と
を備えることを特徴とするサーバ装置。
【請求項１５】
各端末情報の比較の結果に基づいて、前記別のアクセスを行った携帯電話機が対応する携帯電話会社と、登録番号の発行に係るアクセスを行った携帯電話機が対応する携帯電話会社とが相異するか否かを特定する手段を備える請求項１４に記載のサーバ装置。
【請求項１６】
前記別のアクセスを行った携帯電話機と、登録番号の発行に係るアクセスを行った携帯電話機とが相異すると特定した場合、前記別のアクセスを行った携帯電話機へ特典情報を送信する手段を備える請求項１４又は請求項１５に記載のサーバ装置。
【請求項１７】
登録番号の発行に際に、アクセス中の携帯電話機からパスワードを受信した場合、受信したパスワードを、前記端末情報および前記登録番号に対応付けて前記番号登録テーブルに登録する手段と、
前記別のアクセスを受けて、パスワード、端末情報および登録番号を受信した場合、前記番号登録テーブルの中から、受信した登録番号と同じ登録番号に対応付けられたパスワードを抽出する手段と、
抽出したパスワードと、受信したパスワードとが一致するか否かを判断する判断手段とを備え、
両パスワードが一致すると判断した場合、前記比較手段は各端末情報の比較を行う請求項１４乃至請求項１６のいずれか１つに記載のサーバ装置。
【請求項１８】
前記判断手段が、両端末情報が異なると判断した場合、別のアクセスのときに受信した端末情報を、前記登録番号に対応付けて前記番号登録テーブルに登録する手段を備える請求項１７に記載のサーバ装置。
【請求項１９】
前記ウェブサイトに係るネットワーク上の場所を表すと共に、発行した登録番号を含むアドレス情報を生成する手段と、
生成したアドレス情報をアクセス元の携帯電話機へ送信する手段とを備える請求項１４乃至請求項１８のいずれか１つに記載のサーバ装置。
【請求項２０】
複数の携帯電話会社のそれぞれに対応するウェブサイトを設け、番号登録テーブルおよび外部の携帯電話機からアクセスを受ける通信手段を備えるコンピュータに、アクセス元の携帯電話機から受信した固有の端末情報に基づいてアクセス元の携帯電話機を特定させるコンピュータプログラムにおいて、
コンピュータを
受信した端末情報に対して固有の登録番号を発行する手段と、
発行した登録番号を、前記端末情報に対応付けて前記番号登録テーブルに登録する手段と、
発行した登録番号を前記通信手段を通じてアクセス元へ送信する手段と、
前記登録番号の発行に係るアクセスとは別のアクセスを前記通信手段で受けて、登録番号および端末情報を受信した場合、前記番号登録テーブルの中から、受信した登録番号と同じ登録番号に対応付けられた端末情報を抽出する手段と、
抽出した端末情報と、受信した端末情報とを比較する比較手段と、
各端末情報の比較の結果に基づいて、前記別のアクセスを行った携帯電話機と、登録番号の発行に係るアクセスを行った携帯電話機とが相異するかを特定する手段として機能させることを特徴とするコンピュータプログラム。
【発明の詳細な説明】
【技術分野】
【０００１】
本発明は、ユーザが携帯電話会社を変更した場合、変更前にユーザが利用していたウェブサイトを運営するサーバ装置側で、携帯電話会社の変更があったことを確認可能にした携帯電話機特定方法、サーバ装置およびコンピュータプログラムに関する。
【背景技術】
【０００２】
昨今の携帯電話機は本来の通話機能に加えて、ネットワークに接続して各種ウェブサイトを閲覧できる機能を具備する。また、携帯電話機は、いわゆるキャリアと称される携帯電話機向けの通信サービスを提供する通信事業体（第一種通信事業者に相当）である携帯電話会社ごとの専用機になっている。
【０００３】
図１８は、携帯電話機向けの通信ネットワークシステムの概略を示し、キャリアとしてＡ社、Ｂ社及びＣ社の３社が存在する例を表しており、中継機Ａ１〜Ａｎ、Ｂ１〜Ｂｎ、Ｃ１〜Ｃｎを含むＡ社〜Ｃ社のそれぞれの通信網が、各キャリアの関門交換機を通じて広域のネットワークＮＷに接続されている。なお、図中の携帯電話機Ｔ１はＡ社対応機、携帯電話機Ｔ２はＢ社対応機、携帯電話機Ｔ３はＣ社対応機である。携帯電話機向けのウェブサイトコンテンツを提供する事業体に運営されるサーバ装置Ｓは、広域なネットワークＮＷに接続されており、Ａ社の携帯電話機Ｔ１からＡ社通信網およびネットワークＮＷを通じてアクセスを受ける。他のキャリアの場合も同様に、サーバ装置ＳはＢ社の携帯電話機Ｔ２からＢ社通信網およびネットワークＷＷを通じてアクセスを受け、Ｃ社の携帯電話機Ｔ３からＣ社通信網およびネットワークＷＷを通じてアクセスを受ける。
【０００４】
このようにサーバ装置Ｓへ各キャリアの通信網を経由してアクセスできるようにするため、サーバ装置Ｓは、ウェブサイトのネットワーク上における場所を表すアドレス情報に相当するＵＲＬ（Uniform Resource Locator）に関して、キャリアごとに専用のＵＲＬを設けており、各携帯電話機Ｔ１〜Ｔ３は、自身が対応するキャリア用のＵＲＬに基づきサーバ装置Ｓへアクセスする。また、サーバ装置Ｓによっては、各キャリア用のＵＲＬへ振り分けるためのＵＲＬ（振り分け用ＵＲＬ）を別に設けている場合もある。
【０００５】
図１９は、上述した振り分け用ＵＲＬと各キャリア用ＵＲＬの関係を示している。振り分け用ＵＲＬとして、例えばサーバ装置Ｓは「http://poke.jp/melo/」を設定すると共に、振り分け先の各キャリア用ＵＲＬとして「http://a-poke.jp/melo/（Ａ社用ＵＲＬ）」、「http://b-poke.jp/melo/（Ｂ社用ＵＲＬ）」および「http://c-poke.jp/melo/（Ｃ社用ＵＲＬ）」を設定する。なお、振り分け用ＵＲＬ（http://poke.jp/pokemelo/）は、対応するサイトページが存在せず、単に振り分け処理のために設けられたＵＲＬである一方、各キャリア用のＵＲＬには、それぞれ対応するサイトページが存在する。また、携帯電話機はアクセス時に、キャリア判別の可能な情報を含む固有の端末情報（ＵＩＤ）をアクセス先へ送信する仕様になっていることから、サーバ装置Ｓは、振り分け用ＵＲＬでアクセスを受けると、受信した端末情報に基づいてアクセス元の携帯電話機のキャリアを特定し、特定したキャリア用ＵＲＬへアクセスを振り分けて、各キャリア用のサイトページデータをアクセス元の携帯電話機へ送信する処理を行う。
【０００６】
なお、携帯電話機用のウェブサイトの中には、いわゆる勝手サイトと称されるものが存在する。勝手サイトとは、キャリアが提供する公式なサービスには登録されていないが、所定の仕様条件（例えば、ページがコンパクトＨＴＭＬで記述されて、１ページあたりの容量が一定以下等になっている条件）を満たしたサイトの総称であり、このような勝手サイトは、携帯電話機のキャリアに関係なく閲覧可能なものが存在する。そのため、勝手サイトでは、上述した振り分け用ＵＲＬ及び各キャリア用ＵＲＬとは異なり、キャリアに依存しない固有のＵＲＬを有することになる。
【０００７】
一方、ウェブサイトを利用するユーザに対して会員登録を受け付けて、会員登録を受け付けたユーザにのみ特別なサービスを提供するウェブサイトが多数存在する。会員登録したユーザに提供されるサービスとしては、特別なサイトページ（会員ページ）を閲覧できるようにしたサービス、登録したユーザの利用コンテンツ等を保存しておくサービス等が存在する。
【０００８】
このような登録ユーザ向けのサービス提供を行うウェブサイトを設けるサーバ装置は、アクセスしてきたユーザが、登録会員であるかを判別するため、ユーザの携帯電話機から送信されるＵＩＤに、ユーザが任意に付すパスワードを対応付けた会員データベースを一般に備える。よって、サーバ装置は、ユーザの携帯電話機からアクセスを受けると、パスワード入力用のページデータをアクセス元の携帯電話機へ送信し、アクセス時に受信したＵＩＤと、入力されたパスワードとの組合せが会員データベースに登録されているかを検索し、登録を確認した場合、会員向けサービスの提供処理を開始する。なお、下記の特許文献１では、ユーザの会員登録を行う際、ユーザが用いる携帯電話機の電話番号を会員番号として登録し、ユーザ側は会員番号と任意の暗証番号を入力するだけで、会員確認を行えるシステムが開示されている。
【特許文献１】国際公開ＷＯ０１／０８６５３１号パンフレット
【発明の開示】
【発明が解決しようとする課題】
【０００９】
上述した会員登録を行っているユーザが携帯電話機を変更することがあり、携帯電話機の変更に伴い携帯電話機固有のＵＩＤも自然と変わることから、新たな携帯電話機で会員登録を行っているウェブサイトを設けるサーバ装置へアクセスを行う場合、サーバ装置は会員確認を行うことが困難になる。特に、キャリアの移行を伴って携帯電話機が変更された場合、従来はキャリア毎に登録会員を管理していた関係上、サーバ装置は会員確認を行えず、ユーザに再登録を強いる問題があった。
【００１０】
このような問題は、２００６年後半から、キャリアを移行しても今までと同じ電話番号を継続できる「ナンバーポータビリティ（Mobile Number Portability : MNP）」と云う制度が導入されることに従って、今後、キャリアを移行して携帯電話機を変更するユーザが増加することが予想されるため、一層顕著になるおそれがある。
【００１１】
また、キャリアの移行後、今まで登録していたウェブサイトへユーザが再登録を行ったとしても、そのウェブサイトを設けるサーバ装置は、ユーザがキャリア移行前に会員登録を行っていたかを基本的に確認できないため、ユーザ用に蓄えていた情報（例えば、楽曲データの配信を行うウェブサイトでは、ユーザのお気に入り楽曲、ダウンロード済みの楽曲等）をキャリア移行後の同一ユーザ用へと移行できず、ユーザに対する十分なサービスを確保できないと云う問題がある。さらに、サーバ装置側では、キャリア移行後に再登録を行ったユーザが、キャリア移行前も会員登録していたことを基本的に確認できないことから、ユーザが折角、再登録を行っても、そのユーザに対して特典を付与するようなキャリア移行時に関するサービスも行えないので、キャリア移行時に今まで会員であったユーザをつなぎ止めておくことが困難になることも予想される。
【００１２】
さらに、ナンバーポータビリティ制度の導入に伴って、キャリア間におけるユーザの流動化が進むと、キャリア移行したユーザが再度、元のキャリアへ戻ってきて、元のキャリアで利用していたウェブサイトへ再登録するようなことも想定される。このような場合においても、現状のシステムでは、サービスを提供する側で、その登録が再登録に該当するか否かを確認できないため、再登録を行うユーザに対して何らかの特典等を付与することができない問題がある。
【００１３】
なお、上述した問題に対して、特許文献１に係るシステムを適用したとしても、このシステムでは、会員確認に携帯電話機固有の端末情報を利用する記述は無いため、サーバ装置側で登録ユーザの携帯電話機に変更があったことを把握できない。また、このシステムでは、会員番号に電話番号を用いるが、ネットワーク接続に関する通信プロトコルでは、電話番号は関係しないので、ナンバーポータビリティ制度の導入後のキャリア移行によりユーザが同一の電話番号を維持しても、ウェブサイトにおける会員確認では、会員番号としての電話番号およびパスワードに応じた暗証番号と云う２種類の番号入力がユーザに要求されるので、会員確認に対するユーザの入力操作負担が大きくなっている。
【００１４】
また、キャリア移行前に登録していたウェブサイトを、移行後にユーザが探す場合、ウェブサイトの検索の仕方（操作手順および操作インターフェース等）はキャリアごとに相異するので、ユーザが検索操作にとまどうことも想定される。そのため、検索が上手く行かなかったユーザの中には、今まで登録していたウェブサイトの利用をあきらめるユーザが現れる場合も考えられ、キャリア移行時のユーザのつなぎ止めが、この点においても困難になると云う問題がある。
【００１５】
本発明は、斯かる事情に鑑みてなされたものであり、ウェブサイトを通じて会員登録を行っていたユーザが携帯電話機を変更した場合、特にキャリアの移行を伴って携帯電話機を変更した場合、サーバ装置側で登録ユーザの携帯電話機の変更を確認できるようにした携帯電話機特定方法、サーバ装置およびコンピュータプログラムを提供することを目的とする。
また、本発明は、会員登録していたウェブサイトを設けるサーバ装置へ、キャリア移行後もスムーズにアクセスできるようにした携帯電話機特定方法を提供することを目的とする。
【課題を解決するための手段】
【００１６】
上記課題を解決するために本発明に係る携帯電話機特定方法は、複数の携帯電話会社のそれぞれに対応するウェブサイトを設けたサーバ装置が、携帯電話機からのアクセスを受けて携帯電話機固有の端末情報を受信し、受信した端末情報に基づいてアクセス元の携帯電話機を特定する携帯電話機特定方法において、前記サーバ装置は、受信した端末情報に対して固有の登録番号を発行し、発行した登録番号を、前記端末情報に対応付けて記憶し、発行した登録番号をアクセス元の携帯電話機へ送信し、前記登録番号の発行に係るアクセスとは別のアクセスを受けて、登録番号および端末情報を受信した場合、記憶する中から、受信した登録番号と同じ登録番号に対応付けられた端末情報を抽出し、抽出した端末情報と、受信した端末情報とを比較し、各端末情報の比較の結果に基づいて、前記別のアクセスを行った携帯電話機と、登録番号の発行に係るアクセスを行った携帯電話機とが相異するかを特定することを特徴とする。
【００１７】
また、本発明に係る携帯電話機特定方法は、前記サーバ装置が、各端末情報の比較の結果に基づいて、前記別のアクセスを行った携帯電話機が対応する携帯電話会社と、登録番号の発行に係るアクセスを行った携帯電話機が対応する携帯電話会社とが相異するかを特定することを特徴とする。
さらに、本発明に係る携帯電話機特定方法は、前記サーバ装置は、前記別のアクセスを行った携帯電話機と、登録番号の発行に係るアクセスを行った携帯電話機とが相異すると特定した場合、前記別のアクセスを行った携帯電話機へ特典情報を送信することを特徴とする。
【００１８】
さらにまた、本発明に係る携帯電話機特定方法は、前記サーバ装置が、登録番号の発行に際に、アクセス中の携帯電話機からパスワードを受信し、受信したパスワードを、前記端末情報および前記登録番号に対応付けて記憶し、前記別のアクセスを受けて、該別のアクセスを行った携帯電話機から送信されたパスワード、端末情報および登録番号を受信した場合、受信した登録番号と同じ登録番号に対応付けられたパスワードを抽出し、抽出したパスワードと、受信したパスワードとが一致するか否かを判断し、両パスワードが一致すると判断した場合、各端末情報の比較を行うことを特徴とする。
【００１９】
本発明に係る携帯電話機特定方法は、前記サーバ装置が、各端末情報の比較の結果に基づいて両端末情報が異なると判断した場合、別のアクセスのときに受信した端末情報を、前記登録番号に対応付けて記憶することを特徴とする。
また、本発明に係る携帯電話機特定方法は、前記サーバ装置が、前記ウェブサイトに係るネットワーク上の場所を表すと共に、発行した登録番号を含むアドレス情報を生成し、
生成したアドレス情報をアクセス元の携帯電話機へ送信することを特徴とする。
【００２０】
さらに、本発明に係る携帯電話機特定方法は、前記サーバ装置が、選択可能な登録選択部を配置すると共に、前記アドレス情報を前記登録選択部に関連付けて埋め込んだサイトページに応じたページデータをアクセス元の携帯電話機へ送信し、前記ページデータを受信した携帯電話機は、表示部を備えると共に、登録テーブルを記憶しており、受信したページデータに応じたサイトページを前記表示部に表示した状態で、前記登録選択部の選択を受け付けた場合、前記登録選択部に関連付けたアドレス情報を前記登録テーブルに登録することを特徴とする。
【００２１】
また、本発明に係る携帯電話機特定方法は、前記携帯電話機が、前記登録テーブルとしてアドレス情報の登録が可能なアドレス帳テーブルを記憶し、前記登録選択部の選択を受け付けた場合、登録先として前記アドレス帳テーブルの選択を受け付ける選択メニューを表示し、前記選択メニューで前記アドレス帳テーブルの選択を受け付けた場合、前記アドレス情報を前記アドレス帳テーブルに登録することを特徴とする。
さらに、本発明に係る携帯電話機特定方法は、前記携帯電話機が、前記登録テーブルとしてアドレス情報の登録が可能なブックマークテーブルを記憶し、前記登録ボタンの選択を受け付けた場合、登録先として前記ブックマークテーブルの選択を受け付ける選択メニューを表示し、前記選択メニューで前記ブックマークテーブルの選択を受け付けた場合、前記アドレス情報を前記ブックマークテーブルに登録することを特徴とする。
【００２２】
また、本発明に係る携帯電話機特定方法は、前記サーバ装置が、前記ウェブサイトの名称を表すサイト名情報を、前記登録選択部に関連付けて埋め込んだサイトページに応じたページデータを送信し、前記携帯電話機は、前記アドレス情報と共に前記サイト名情報を登録することを特徴とする。
【００２３】
さらに、本発明に係る携帯電話機特定方法は、前記サーバ装置が、前記アドレス情報を選択可能に配置したサイトページに応じたページデータをアクセス元の携帯電話機へ送信し、前記ページデータを受信した携帯電話機は、表示部を備えると共に、登録テーブルを記憶しており、受信したページデータに応じたサイトページを前記表示部に表示した状態で、前記アドレス情報の選択を受け付けた場合、前記アドレス情報の前記登録テーブルへの登録又は前記アドレス情報に基づくアクセスのいずれの選択を受け付ける選択メニューを表示し、前記選択メニューで前記登録テーブルへの登録の選択を受け付けた場合、前記アドレス情報を前記登録テーブルに登録し、前記選択メニューで前記アクセス情報に基づくアクセスの選択を受け付けた場合、前記アクセス情報に基づいてアクセスを行うことを特徴とする。
【００２４】
また、本発明に係る携帯電話機特定方法は、前記携帯電話機が、前記登録テーブルとしてアドレス情報の登録が可能なアドレス帳テーブルを記憶し、前記アドレス帳テーブルへの登録の選択を受け付ける前記選択メニューを表示し、前記選択メニューで前記アドレス帳テーブルへの登録の選択を受け付けた場合、前記アドレス情報を前記アドレス帳テーブルに登録することを特徴とする。
さらに、本発明に係る携帯電話機特定方法は、前記携帯電話機が、前記登録テーブルとしてアドレス情報の登録が可能なブックマークテーブルを記憶し、前記ブックマークテーブルへの登録の選択を受け付ける前記選択メニューを表示し、前記選択メニューで前記ブックマークテーブルへの登録の選択を受け付けた場合、前記アドレス情報を前記ブックマークテーブルに登録することを特徴とする。
【００２５】
本発明に係るサーバ装置は、複数の携帯電話会社のそれぞれに対応するウェブサイトを設け、外部の携帯電話機からアクセスを受けて受信した固有の端末情報に基づいてアクセス元の携帯電話機を特定するサーバ装置において、受信した端末情報に対して固有の登録番号を発行する手段と、発行した登録番号を、前記端末情報に対応付けて登録する番号登録テーブルと、発行した登録番号をアクセス元へ送信する手段と、前記登録番号の発行に係るアクセスとは別のアクセスを受けて、登録番号および端末情報を受信した場合、前記番号登録テーブルの中から、受信した登録番号と同じ登録番号に対応付けられた端末情報を抽出する手段と、抽出した端末情報と、受信した端末情報とを比較する比較手段と、各端末情報の比較の結果に基づいて、前記別のアクセスを行った携帯電話機と、登録番号の発行に係るアクセスを行った携帯電話機とが相異するかを特定する手段とを備えることを特徴とする。
【００２６】
また、本発明に係るサーバ装置は、各端末情報の比較の結果に基づいて、前記別のアクセスを行った携帯電話機が対応する携帯電話会社と、登録番号の発行に係るアクセスを行った携帯電話機が対応する携帯電話会社とが相異するかを特定する手段を備えることを特徴とする。
さらに、本発明に係るサーバ装置は、前記別のアクセスを行った携帯電話機と、登録番号の発行に係るアクセスを行った携帯電話機とが相異すると特定した場合、前記別のアクセスを行った携帯電話機へ特典情報を送信する手段を備えることを特徴とする。
【００２７】
さらにまた、本発明に係るサーバ装置は、登録番号の発行に際に、アクセス中の携帯電話機からパスワードを受信した場合、受信したパスワードを、前記端末情報および前記登録番号に対応付けて前記番号登録テーブルに登録する手段と、前記別のアクセスを受けて、パスワード、端末情報および登録番号を受信した場合、前記番号登録テーブルの中から、受信した登録番号と同じ登録番号に対応付けられたパスワードを抽出する手段と、抽出したパスワードと、受信したパスワードとが一致するか否かを判断する判断手段とを備え、両パスワードが一致すると判断した場合、前記比較手段は各端末情報の比較を行うことを特徴とする。
【００２８】
本発明に係るサーバ装置は、前記判断手段が、両端末情報が異なると判断した場合、別のアクセスのときに受信した端末情報を、前記登録番号に対応付けて前記番号登録テーブルに登録する手段を備えることを特徴とする。
また、本発明に係るサーバ装置は、前記ウェブサイトに係るネットワーク上の場所を表すと共に、発行した登録番号を含むアドレス情報を生成する手段と、生成したアドレス情報をアクセス元の携帯電話機へ送信する手段とを備えることを特徴とする。
【００２９】
本発明に係るコンピュータプログラムは、複数の携帯電話会社のそれぞれに対応するウェブサイトを設け、番号登録テーブルおよび外部の携帯電話機からアクセスを受ける通信手段を備えるコンピュータに、アクセス元の携帯電話機から受信した固有の端末情報に基づいてアクセス元の携帯電話機を特定させるコンピュータプログラムにおいて、コンピュータを受信した端末情報に対して固有の登録番号を発行する手段と、発行した登録番号を、前記端末情報に対応付けて前記番号登録テーブルに登録する手段と、発行した登録番号を前記通信手段を通じてアクセス元へ送信する手段と、前記登録番号の発行に係るアクセスとは別のアクセスを前記通信手段で受けて、登録番号および端末情報を受信した場合、前記番号登録テーブルの中から、受信した登録番号と同じ登録番号に対応付けられた端末情報を抽出する手段と、抽出した端末情報と、受信した端末情報とを比較する比較手段と、各端末情報の比較の結果に基づいて、前記別のアクセスを行った携帯電話機と、登録番号の発行に係るアクセスを行った携帯電話機とが相異するかを特定する手段として機能させることを特徴とする。
【００３０】
本発明にあっては、サーバ装置が端末情報に対して固有の登録番号を発行すると共に、端末情報および登録番号を対応付けて記憶しておき、アクセスを受けて、登録番号および端末情報を受信した場合、受信した登録番号に一致する記憶する登録番号に対応付けられた端末情報を抽出し、抽出した端末情報と受信した端末情報の同異を比較するので、アクセスしてきたユーザが使用する携帯電話機の変更をサーバ装置側で確認可能となる。即ち、携帯電話機を変更していない場合、端末情報も変わらないため、記憶する端末情報と受信する端末情報とが一致し、サーバ装置は端末情報の一致により携帯電話機の変更がないことを確認できる。一方、携帯電話機を変更したときは、携帯電話機固有の端末情報も変わるため、各登録番号に対応する端末情報同士が一致しなくなり、サーバ装置は両端末情報の不一致によりユーザが携帯電話機を変更したことを確実に特定できる。
【００３１】
また、本発明にあっては、携帯電話機の機種およびキャリアを判別するための情報を含む携帯電話機固有の端末情報の比較をサーバ装置が行うので、比較により両端末情報が相異した場合、サーバ装置は携帯電話機が変更されたことを把握した上で、各端末情報に含まれるキャリア判別の情報に基づき、キャリア（携帯電話会社）も変更されたか否かも特定できるようになる。よって、登録番号に対応付けた端末情報同士を比較することで、従来、不可能であったユーザのキャリア移行を、サーバ装置側で確認可能となり、それに伴い、キャリア移行に関して、今までユーザに不充分であったサービスの内容を改めることができる。
【００３２】
本発明にあっては、登録番号の発行時のアクセスに用いた携帯電話機と、今回のアクセスに用いた携帯電話機とが相異すると特定した場合、サーバ装置は、登録していたユーザが新たな携帯電話機を用いてアクセスしてきたと判断し、このようなアクセスを行った携帯電話機へ特典情報を送信するので、携帯電話機の機種変更、キャリア移行後もサーバ装置が設けるウェブサイトのサービスを希望するユーザ、又はキャリアを移行してから元のキャリアに戻ってきたユーザ等に、何らかの特典を付与できるようになり、特典情報の付与を登録ユーザのつなぎ止めの策として利用できる。
【００３３】
本発明にあっては、サーバ装置が携帯電話機から受信したパスワードを、端末情報および登録番号と対応付けて記憶すると共に、その後のアクセスで、パスワード、端末情報および登録番号を受信した場合、受信したパスワードが、登録したパスワードと一致するかを判断し、パスワードが一致する場合に端末情報の比較を行うので、セキュリティ性を高めた上で、上述した携帯電話機の特定に係る処理を行える。即ち、本発明では、サーバ装置が発行する登録番号と、ユーザが任意に付けるパスワードの２つが一致しないと、端末情報の比較の処理を行わないため、第３者が登録番号だけでアクセスしてきた場合などに、サーバ装置が不用意に端末情報の比較処理を行うことを防止でき、セキュリティ性を確保できる。
【００３４】
本発明にあっては、比較した両端末情報が異なる場合、サーバ装置は新たに受信した端末情報を登録番号に対応付けて記憶内容に含ませるため、一度、携帯電話機の変更を特定した後は、変更された携帯電話機か使用され続ける限り、ユーザの使用する携帯電話機の端末情報と登録番号との対応付けが可能となり、サーバ装置は無用に携帯電話機の変更に係る処理を行わずに済む。なお、以前にユーザが使用していた携帯電話機の端末情報は、記憶する中に残しておくことも可能であるし、又は、新たな端末情報と置き換えて更新してもよい。
【００３５】
本発明にあっては、登録番号を含むアドレス情報をサーバ装置が、アクセス元の携帯電話機へ送信するので、携帯電話機は、サーバ装置から送信されたアドレス情報を記憶しておくと、次回からのアクセスを容易に行えると共に、登録番号もパス名としてアクセスに合わせてサーバ装置へ送信可能となり、携帯電話機からのアクセスに係る一連の処理を効率良く行える。なお、サーバ装置からアクセス元の携帯電話機へ送信されるアドレス情報は、各携帯電話会社への振り分け用のＵＲＬにすることは勿論可能であると共に、各携帯電話会社に縛られることなく携帯電話機で閲覧可能な勝手サイトのＵＲＬにすることも可能である。
【００３６】
本発明にあっては、サーバ装置が、生成したアドレス情報を登録選択部に関連付けてサイトページに埋め込んだかたちで携帯電話機へ送信すると共に、携帯電話機ではサイトページを表示した状態で登録選択部の選択を受け付けた場合、埋め込んだアドレス情報を登録テーブルに登録する機能を備えるので、生成したアドレス情報を携帯電話機の登録テーブルへスムーズに登録できる。そのため、携帯電話機のユーザは、携帯電話機を変更する際に、登録テーブルに登録された内容を新たな携帯電話機へ移行すれば、新たな携帯電話機でも生成したアドレス情報に応じたウェブサイトを設けるサーバ装置へ容易にアクセスでき、また、アドレス情報が各携帯会社への振り分け用であるため、キャリアの移行を伴って携帯電話機を変更した場合でも、今まで利用していたウェブサイトに係るサービスを継続してスムーズに受けることができる。
【００３７】
本発明にあっては、登録選択部の選択を受け付けた場合、登録先としてアドレス帳テーブルを選択する選択メニューを表示するので、ユーザの携帯電話機の使い方、キャリア移行前のユーザが使用する携帯電話機の仕様、キャリア移行後の携帯電話機の仕様等に合わせて、アドレス情報をアドレス帳テーブルに登録できる。例えば、ネットワーク接続でもアドレス帳を主に利用するユーザは、アドレス帳テーブルにアドレス情報を登録すれば、ユーザの使い方に応じてアドレス情報の移行を行うことができる。
また、本発明にあっては、登録選択部の選択を受け付けた場合、登録先としてブックマークテーブルを選択する選択メニューを表示するので、ユーザの携帯電話機の使い方、キャリア移行前のユーザが使用する携帯電話機の仕様、キャリア移行後の携帯電話機の仕様等に合わせて、アドレス情報をブックマークテーブルに登録できる。例えば、ブックマークテーブルに含まれる情報の移行が可能な機種でキャリア移行を行うユーザの場合は、ブックマークテーブルにアドレス情報を登録しておけば、移行後も登録していたアドレス情報を用いて利用頻度の高いウェブサイトへ容易にアクセスすることが可能になる。
【００３８】
本発明にあっては、サイト名情報が、登録選択部に関連付けてウェブサイトに埋め込んであり、携帯電話機で登録選択部の選択を受け付けた場合、アドレス情報に加えてサイト名情報も登録されるので、登録されたウェブサイトをサイト名情報に基づいて特定しやすくなり、ユーザの利便性を向上できる。即ち、アドレス情報は、アルファベット及び数字が羅列されたものであるため、アドレス情報だけではウェブサイトの中身を特定することは一般に困難であるが、サイト名情報をアドレス情報と一緒に登録することで、登録されているアドレス情報に対応するウェブサイトの中身をサイト名情報で容易に特定できる。
【００３９】
本発明にあっては、アドレス情報を選択可能に配置したサイトページに応じたページデータをサーバ装置が携帯電話機へ送信して、携帯電話機でアドレス情報が選択された場合、登録テーブルへの登録又はアドレス情報を用いたアクセスを選択できる選択メニューを携帯電話機が表示するので、アドレス情報の登録先をユーザのニーズに応じて自由に選べると共に、ウェブサイトへアクセスすることまで選べて、登録を行わない場合の処理にも柔軟に対応できる。
【００４０】
また、本発明にあっては、登録先としてアドレス帳テーブルの選択を受け付ける選択メニューを表示するので、ユーザの携帯電話機の使い方、キャリア移行前後の携帯電話機の仕様等に合わせて、アドレス情報の登録先を適宜選択可能となり、ユーザの使い勝手に合わせたアドレス情報の移行を実現できる。
さらに、本発明にあっては、登録先としてブックマークテーブルの選択を受け付ける選択メニューを表示するので、ユーザの携帯電話機の使い方、キャリア移行前後の携帯電話機の仕様等に合わせて、アドレス情報の登録先が選択可能になる。
【発明の効果】
【００４１】
本発明にあっては、サーバ装置が端末情報に対して固有の登録番号を発行し、端末情報および登録番号を対応付けて記憶しておくと共に、アクセス時に登録番号および端末情報を受信した場合、受信した登録番号に一致する記憶する登録番号に対応付けられた端末情報と、受信した端末情報との同異を比較するので、ユーザが使用する携帯電話機の変更をサーバ装置側で容易に確認できる。
また、本発明にあっては、携帯電話機のキャリアを判別するための情報を含む携帯電話機固有の端末情報の比較をサーバ装置が行うので、サーバ装置側でユーザが使用する携帯電話機に関するキャリア（携帯電話会社）の変更も特定できる。
【００４２】
本発明にあっては、使用する携帯電話機が相異すると特定した場合、携帯電話機の機種変更を行ったユーザ、キャリアを移行したユーザ、キャリア移行後に元のキャリアに戻ってきたユーザ等に対してスムーズに特典を付与できる。
また、本発明にあっては、サーバ装置が携帯電話機から受信したパスワードを、端末情報および登録番号と対応付けて記憶すると共に、その後のアクセスで、パスワード、端末情報および登録番号を受信した場合、受信したパスワードが、登録したパスワードと一致するかを判断し、パスワードが一致する場合に端末情報の比較を行うので、携帯電話機の特定に係る処理のセキュリティ性を向上できる。
さらに、本発明にあっては、比較した両端末情報が異なる場合、サーバ装置は新たに受信した端末情報を登録番号に対応づけて記憶するので、一度、携帯電話機の変更を特定した後は、変更された携帯電話機か使用され続ける限り、サーバ装置は新たに記憶した端末番号を参照すれば、一般的なユーザ確認の処理だけを行えばよくなり、処理の効率化を図れる。
【００４３】
本発明にあっては、登録番号を含むアドレス情報をサーバ装置が、アクセス元の携帯電話機へ送信するので、携帯電話機は、サーバ装置から送信されたアドレス情報を用いて次回から容易にアクセスを行えると共に、登録番号の送信も効率良く行える。
また、本発明にあっては、サーバ装置が、登録選択部に関連付けてアドレス情報を埋め込んだサイトページに応じたページデータを携帯電話機へ送信すると共に、携帯電話機で登録選択部の選択を受け付けた場合、埋め込んだアドレス情報を登録テーブルに登録するので、生成したアドレス情報を携帯電話機の登録テーブルへスムーズに登録でき、その上、携帯電話機を変更する際に、登録テーブルに登録された内容を新たな携帯電話機へ移行すれば、新たな携帯電話機でもサーバ装置へ容易にアクセスできる。
【００４４】
さらに、本発明にあっては、登録選択部の選択を受け付けた場合、アドレス帳テーブルへの登録を選択する選択メニューを表示するので、ユーザの使い勝手に合わせて登録先を選択でき、ウェブサイトへのアクセスにアドレス帳テーブルを用いるユーザに対して好適な処理を提供できる。
さらにまた、本発明にあっては、登録選択部の選択を受け付けた場合、ブックマークテーブルへの登録を選択する選択メニューを表示するので、ブックマークテーブルへスムーズにアドレス情報を登録でき、ブックマークテーブルを主に利用するユーザに対して好適な処理を提供できる。
また、本発明にあっては、アドレス情報に加えてサイト名情報も登録されるので、登録されたウェブサイトの内容をサイト名情報に基づいてユーザが容易に把握できる。
【００４５】
本発明にあっては、サイトページ上に配置されたアドレス情報が選択された場合、登録テーブルへの登録又はアドレス情報を用いたアクセスを選択できる選択メニューを携帯電話機で表示するので、アドレス情報の登録先をユーザのニーズに応じて自由に選べると共に、登録ではなくアクセスを行う場合にも柔軟に対応できる。
また、本発明にあっては、登録先としてアドレス帳テーブルの選択を受け付ける選択メニューを表示するので、アドレス帳テーブルへ容易にアドレス情報を登録できる。
さらに、本発明にあっては、登録先としてブックマークテーブルの選択を受け付ける選択メニューを表示するので、アドレス情報を確実にブックマークテーブルへ登録できる。
【発明を実施するための最良の形態】
【００４６】
図１は、本発明の実施形態に係るサーバ装置１０を含む携帯電話特定システム１の全体的な構成を示している。携帯電話特定システム１では、サーバ装置１０が会員登録に応じて楽曲の配信を行う携帯電話機向けのウェブサイトを設けており、会員登録を行ったユーザが自身の使用する携帯電話機をＡ社（携帯電話会社）用の携帯電話機３から、Ｂ社用（Ａ社と相異する携帯電話会社）の携帯電話機１３０へ変更した場合、サーバ装置１０で、登録ユーザの携帯電話機および携帯電話会社（キャリア）の変更を特定できるようにしたものである。なお、本実施形態は、図１８で示す場合と同様にキャリアとしてＡ社、Ｂ社およびＣ社が存在する状況に基づいており、図１では、Ａ社関門交換機および中継機Ａ１〜Ａｎを含むＡ社通信網、並びにＢ社関門交換機および中継機Ｂ１〜Ｂｎを含むＢ社通信網のみを示し、Ｃ社通信網の図示は省略している。
【００４７】
図２は、サーバ装置１０の主要な内部構成を示している。サーバ装置１０には汎用のサーバコンピュータが適用されており、ウェブサイトのコンテンツ提供サービスの運営を行う事業体がサーバ装置１０の管理を行っている。サーバ装置１０は、様々な制御処理を行うＭＰＵ１１を、内部バス１０ａを介して通信インタフェース１２、ＲＡＭ１３、ＲＯＭ１４、及びハードディスク装置１５と接続した構成になっている。
【００４８】
通信インタフェース１２は、ネットワークＮＷを経由して各キャリア用の携帯電話機からのアクセスを受け付けて各種データの送受信を行う手段に相当し、例えば、携帯電話機からのアクセス要求と共に携帯電話機固有の端末情報としてＵＩＤを受信すると共に、ウェブサイトに係るサイトページのデータをアクセス元の携帯電話機へ送信する処理等を行う。また、ＲＡＭ１３は、ＭＰＵ１１の処理に伴って生じるデータ及びフォルダ等を一時的に記憶し、ＲＯＭ１４は、ＭＰＵ１１が行う基本的な処理内容を規定したプログラムを予め記憶している。ハードディスク装置１５は、サーバ装置１０を作動させる上で、必要な各種処理内容を規定したシステムプログラム２０および本発明に係る携帯電話変更特定用の処理を規定したサーバプログラム２１（本発明のコンピュータプログラムに相当）を記憶し、さらに、登録ユーザに係る各種情報と格納した登録会員テーブル２２（番号登録テーブルに相当）、サーバ装置１０が設けたウェブサイトの中身に係るウェブサイトコンテンツデータ２３およびウェブサイトを通じて登録ユーザに配信する多数の楽曲データを格納した楽曲データベース２４等を記憶している。
【００４９】
図３は、登録会員テーブル２２を示している。登録会員テーブル２２は、会員番号（登録番号に相当）、ユーザが使用する携帯電話機のＵＩＤ（端末情報に相当）、ＵＩＤから特定できるキャリア情報、会員登録したユーザの氏名、パスワード、ユーザのニックネーム、ユーザ用のＵＲＬおよびサービス情報等の各項目を、それぞれ対応付けてユーザごとに登録したものである。図３に示す内容は、登録会員テーブル２２に登録される情報の一部を示し、登録会員テーブル２２は、会員登録時に取得した各情報（住所、電話番号、メールアドレス等）も登録されているものとする。また、登録会員テーブル２２中のサービス情報とは、サーバ装置１０が設けるウェブサイトを通じてユーザに提供されたサービスの内容をユーザ毎に保存した内容を示すものであり、本実施形態では、ユーザにより登録されたお気に入りの楽曲の情報および今までにユーザへダウンロード（配信）された楽曲名などが格納されている。なお、図３に示す登録会員テーブル２２の形態は、あくまで一例であり、登録するデータの仕様に応じて適宜変更可能であり、例えば、ＵＩＤからキャリア情報を明確に確認できる場合などでは、キャリア情報の項目を省略することも可能である。
【００５０】
また、図２のハードディスク装置１５に記憶されるウェブサイトコンテンツデータ２３は、ウェブサイトを構成する複数のサイトページ（図４（ａ）（ｂ）、図５（ａ）、図６（ａ）（ｂ）等参照）のページ内容（ページコンテンツ）を表すページデータ２３ａ〜２３ｎの集合体であり、各サイトページの中には、ページデータ２３ａ〜２３ｎを用いてＭＰＵ１１の処理により一部動的に作成されるページ部分を含んだものも存在する。なお、サーバ装置１０が設けるウェブサイトの各サイトページは、携帯電話機向けウェブサイト用のマークアップ言語（例えばＨＴＭＬ：Hyper markup Language）での記述により作成されており、各キャリア用に応じたページデータを含んでいる。
【００５１】
図４（ａ）は、サーバ装置１０が設けるウェブサイトを構成するゲスト用トップページ２８（サイトページ）を携帯電話機３の表示部４で表示した状態を示している。ゲスト用トップページ２８は、未登録のユーザの携帯電話機からアクセスを受けた場合に、サーバ装置１０がアクセス元へ送信するページデータに応じたものであり、携帯電話機の操作部を通じて選択可能な会員登録ボタン２８ａが設けてある。会員登録ボタン２８ａは、図４（ｂ）に示す登録用トップページ２９にリンクしたボタンであり、選択に応じて登録用トップページ２９へ画面遷移する指示が埋め込まれている。
【００５２】
図４（ｂ）に示す登録用トップページ２９（携帯電話機３の表示部４で表示された状態）は、会員登録の際にユーザが入力すべき複数の項目を含む入力欄２９ａを設けており、入力欄２９ａに含まれる複数の項目としては、図３の登録会員テーブル２２に格納される氏名、パスワード、ニックネーム等がある。また、登録用トップページ２９は、送信ボタン２９ｂ、戻りボタン２９ｃを具備し、入力欄２９ｃの各項目に所定の情報が入力された状態で送信ボタン２９ｂが携帯電話機の操作部を通じて選択されると、携帯電話機で入力された各情報がサーバ装置１０へ送信される指示が埋め込まれている。また、戻りボタン２９ｃは、選択に応じて図４（ａ）のゲスト用トップページ２８へ画面遷移する指示が埋め込まれている。
【００５３】
図５（ａ）は、会員登録を行ったユーザ用の会員用トップページ３０（サイトページ）を携帯電話機３の表示部４で表示した状態を示している。会員用トップページ３０は、会員用に一部、動的に作成される部分（「Ｔａｒｏさん、こんにちは」と云う文言）を含み、この部分は、アクセス元の携帯電話機から送信されるＵＩＤを図３の登録会員テーブル２２に格納される各ＵＩＤと比較して、格納されたＵＩＤにヒモ付けされたニックネームをＭＰＵ１１が抽出して作成したものであり、作成後、会員用トップページ３０の所定箇所に配置されている。また、会員用トップページ３０は、携帯電話機で表示された状態で、携帯電話機の操作部で選択可能な複数の第１ボタン３０ａ〜第３ボタン３０ｃをページ上に配置した構成になっている。
【００５４】
第１ボタン３０ａは、新曲を紹介するサイトページにリンクしたボタンであり、第２ボタン３０ｂは、曲検索を行うサイトページにリンクしたボタンである。また、第３ボタン３０ｃは登録選択部に該当し、図５（ｂ）に示す本ウェブサイトのサイト名及びＵＲＬとの関連付け（リンク）が行われており、第３ボタン３０ｃと、図５（ｂ）のサイト名及びＵＲＬとのリンクがマークアップ言語の記述により規定されている。なお、図５（ｂ）に示す内容は、第３ボタン３０ｃに関連付けて会員用トップページ３０に埋め込まれた情報を示す。サイト名の中身として記述された「楽曲ダウンロードサイト」と云う記述は、ウェブサイトの名称を表すサイト名情報に相当する。「http://poke.jp/melo/1000.htm」は、ウェブサイトへのアクセス用のＵＲＬであり、ユーザの会員番号（1000）を含んで、ＭＰＵ１１により動的に生成されるＡ社〜Ｃ社への振り分け用ＵＲＬ（振り分け用アドレス情報）に該当する。
【００５５】
これらのサイト名情報及び振り分け用ＵＲＬは、所定の識別タグで囲まれて区別可能に記述されてウェブサイトの会員用トップページ３０に埋め込まれた状態になっている。さらに、第３ボタン３０ｃに対しては、第３ボタン３０ｃが選択された場合は、携帯電話機の選択メニューが立ち上がるように、携帯電話機側の処理を開始させるトリガー用のコマンドもマークアップ言語の記述により埋め込まれている。
【００５６】
図６（ａ）は、ウェブサイトを構成するパスワード入力用のサイトページ３１を携帯電話機３の表示部４で表示した状態を示している。パスワード入力用のサイトページ３１は、サーバ装置１０へのアクセス時に、サーバ装置１０がＵＩＤ及び会員番号を受信した場合に、サーバ装置１０がアクセス元へ送信するページデータに応じたものであり、登録ユーザに対するセキュリティ性を確保するために、パスワード入力欄３１ａを有した構成になっている。また、パスワード入力用のサイトページ３１も送信ボタンを具備し、パスワード入力欄３１ａにユーザが決めたパスワードが入力された状態で送信ボタンが携帯電話機の操作部を通じて選択されると、携帯電話機で入力されたパスワードをサーバ装置１０へ送信するコマンドが埋め込まれている。
【００５７】
図６（ｂ）は、特典ページ３２（サイトページ）を携帯電話機３の表示部４で表示した状態を示している。特典ページ３２は、会員登録を行ったユーザがキャリア移行後、変更された携帯電話機を用いてサーバ装置１０へアクセスした場合に、アクセス元へ送信されるページデータに応じたものである。特典ページ３２は、このようなユーザに対する特典として楽曲データを無料で１０曲分ダウンロードできる情報（特典情報）を含み、無料ダウンロードページへリンクされたリンクボタン３２ａを具備している。
【００５８】
また、図２のサーバ装置１０のハードディスク装置１５に記憶されるサーバプログラム２１は、ＭＰＵ１１が行う本発明に係る携帯電話変更特定用の各種制御処理を規定し、アクセスを受けた携帯電話機から送信される各種情報に基づき、上述したサイトページに応じたページデータを適宜選択してアクセス元へ送信する制御、携帯電話機の変更およびキャリアの変更等を特定する制御等を規定した内容になっている。
【００５９】
例えば、サーバプログラム２１は、サーバ装置１０が設けるウェブサイトのＵＲＬ（振り分け用ＵＲＬ、各キャリア用ＵＲＬ、勝手サイトのＵＲＬ等）に基づきアクセスを受けた場合、図４（ａ）に示すゲスト用トップページ２８に応じたページデータをアクセス元へ送信することを規定している。なお、単にＵＲＬに基づきアクセスを受けた場合でも、サーバ装置１０は携帯電話機から固有のＵＩＤは受信する。また、サーバプログラム２１は、図４（ｂ）に示す登録用トップページ２９に応じたページデータを送信した状態で、各項目に応じた必要事項（情報）をサーバ装置１０が受信すると、そのときにアクセスしている携帯電話機のＵＩＤに対応付ける会員番号をＭＰＵ１１が発行することを規定している。なお、会員番号は数字の小さいものから大きいものへ順番に発行される。さらに、サーバプログラム２１は、会員番号を発行した場合、会員番号の発行の際に受信している各情報をそれぞれ対応付けた状態で登録会員テーブル２２に登録してハードディスク装置１５に記憶することも規定している。
【００６０】
また、サーバプログラム２１は、サーバ装置１０がアクセス時にＵＩＤ及び会員番号を受信すると、アクセス元へ図６（ａ）のパスワード入力用のサイトページ３１に応じたページデータを送信する制御をＭＰＵ１１が行うことを規定している。さらに、サーバプログラム２１は、パスワード入力用のサイトページ３１に応じたページデータを送信した後で、アクセス元からパスワードをサーバ装置１０が受信すると、先に受信したＵＩＤに対応付けられたパスワードをＭＰＵ１１が登録会員テーブル２２から抽出し、この抽出したパスワードと、受信したパスワードが一致するか否かを判断することを規定している。なお、このようなパスワードの一致の判断を行うことで、第３者が登録ユーザになりすまして不正にサービスを受けること等を防止できる。
【００６１】
上述した判断でパスワードが一致しない場合、アクセス元への図４（ａ）のゲスト用トップページ２８に応じたページデータを送信することをサーバプログラム２１は規定し、パスワードが一致した場合は、先に受信したＵＩＤに対応付けられた会員番号をＭＰＵ１１が登録会員テーブル２２から抽出し、抽出した会員番号と、受信した会員番号が一致するか否かを比較判断することを規定している。会員番号が一致しない場合、ユーザがアクセスに利用した携帯電話機が変更されたことを意味するので、ＭＰＵ１１は受信したＵＩＤに含まれるキャリア情報で特定されるキャリアが、登録会員テーブル２２に格納されているキャリアと相異することをＭＰＵ１１が確認してから、図６（ｂ）の特典ページ３２に応じたページデータをアクセス元へ送信することをサーバプログラム２１は規定している。このようにサーバプログラム２１が、ＵＩＤにヒモ付けた会員番号の比較処理を規定することで、サーバ装置１０は、登録ユーザが携帯電話機を変更したこと、キャリアを移行したことを確認できる。なお、ＭＰＵ１１がキャリアの移行を確認した場合、登録会員テーブル２２に格納されているＵＩＤを、新たに受信したＵＩＤに置き換えて格納することをサーバプログラム２１は規定しており、このような置き換えにより、新たに受信したＵＩＤがユーザの会員番号と対応付けて記憶され、新たな携帯電話機でサーバ装置１０へアクセスしても、キャリア移行を行ったことを再度判断しなくても済む。
【００６２】
また、サーバプログラム２１は、ＵＩＤの比較で、ＵＩＤが一致したことをＭＰＵ１１が判断した場合、ユーザは携帯電話機を変更していないことになるので、図５（ａ）の会員用トップページ３０（サイトページ）に応じたページデータをアクセス元へ送信することを規定している。
【００６３】
一方、図７は、ユーザが使用する携帯電話機３の内部構成を示すブロック図であり、この携帯電話機３は、本実施形態では図１に示すように、ユーザがキャリアを移行する前に使用しているＡ社対応機種に相当している。携帯電話機３は、各種制御処理を行うＣＰＵ３ａに、通信部３ｂ、ＲＡＭ３ｃ、ＲＯＭ３ｄ、表示用インタフェース３ｅ、操作部インタフェース３ｆ、音出力処理部３ｇ、音入力処理部３ｉ及び記憶部３ｋを内部バス１６で接続した構成になっている。
【００６４】
通信部３ｂは、図１に示す多数の中継基地局Ａ１、Ａ２・・・と無線通信を行い、広域のネットワークＮＷに接続される様々な機器との間でデータ等の送受信を行う。本実施形態では、携帯電話機３が通信部３ｂを用いて図１のサーバ装置１０にアクセスし、サーバ装置１０が設けるウェブサイトへのアクセス要求およびＲＯＭ３ｄに記憶されるＵＩＤ６の送信、並びにサーバ装置１０から送られるウェブサイトのページデータ２３ａ〜２３ｎ等の受信を行う。ＲＡＭ３ｃはＣＰＵ３ａの処理に従うデータ及びフォルダ等を一時的に記憶する。また、ＲＯＭ３ｄはＣＰＵ３ａが行う基本的な処理内容を規定したプログラム等を予め記憶すると共に、ウェブサイトへのアクセス要求の際に送信されるＵＩＤ６（携帯電話機３の固有の端末情報に相当）を予め記憶している。
【００６５】
また、表示用インタフェース３ｅは、携帯電話機３の筐体外面に配置される表示部４と接続され、サーバ装置１０から送信される各種ページデータに対する表示処理を行い、表示部４に各ページデータに応じたサイトページを表示すると共に、図８（ａ）（ｂ）、図９（ａ）等に示すような記憶部３ｋに記憶するテーブルに応じたブックマーク４０およびアドレス帳４１等の表示も行う。操作部インタフェース３ｆは、携帯電話機３の筐体表面に設けられた上下左右キー、決定キーおよび数字キー等の多数の操作キーからなる操作部５と接続されており、操作部５でユーザから受け付けた操作内容をＣＰＵ３ａへ伝える。なお、操作部５では、表示部４で表示した画面中の選択部分（例えば、図５（ａ）に示す第３ボタン３０ｃ）を選択する操作も受付可能になっている。
【００６６】
音出力処理部３ｇは、スピーカ３ｈが接続されており、通話時の音声出力、楽曲データの音声出力に係る処理を行ってスピーカ３ｈから音声を出力するものである。また、音入力処理部３ｉはマイク３ｊと接続されており、通話時のユーザが話す音声の入力を行う。
【００６７】
さらに記憶部３ｋは、端末プログラム７、ブックマークテーブル８およびアドレス帳テーブル９等を記憶している。記憶部３ｋに記憶される端末プログラム７は、携帯電話機３に係る各種機能が実現されるように、ＣＰＵ３ａを各種手段として作動させるための制御処理内容を規定したプログラム部分（アプリ）の集合体であり、携帯電話機３の通話および通信に係る制御処理、ブックマーク登録処理、アドレス帳登録処理、ブックマークテーブル８およびアドレス帳テーブル９に登録された内容の表示及び更新処理、並びに各種メニューに対する表示処理および選択受付処理等を規定している。なお、端末プログラム７には、図１０に示す選択メニュー４５のような各種メニューに応じたメニュー画面データ７ａも含まれており、この選択メニュー４５等が関係するＵＲＬ登録処理の詳細に関しては後述する。
【００６８】
また、ブックマークテーブル８は、ブックマーク登録処理の登録先となるテーブルであり、ウェブサイトのサイト名及びＵＲＬをヒモ付けた状態で登録できるテーブル構造になっている。なお、ブックマークテーブル８に登録されることは、記憶部３ｋに記憶されることと同意である（アドレス帳テーブル９も同様）。
【００６９】
図８（ａ）は、ブックマークテーブル８の登録内容に応じたブックマーク４０を表示部４で表示した状態を示している。ブックマーク４０は、ブックマークテーブル８に登録されたサイト名を抽出して羅列し、選択対象となるサイト名を囲うように上下できる選択枠４０ａを配置したものであり、端末プログラム７に含まれるブックマーク用のプログラムの規定内容に基づきＣＰＵ３ａにより作成されている。なお、ブックマーク４０を表示した状態で、選択枠４０ａを上下させる操作を操作部５に含まれる上下キーで受け付けることで、操作欄４０ａで囲まれたサイト名が選択対象となり、その状態で操作部５に含まれる決定キーの押し下げ操作が行われることで、携帯電話機３（ＣＰＵ３ａ）は、選択対象のサイト名の選択を受け付けたことになる。選択を受け付けると、ＣＰＵ３ａは選択対象のサイト名にヒモ付けされたＵＲＬを用いて、ネットワーク接続を行ってウェブサイトへのアクセス処理を行う。
【００７０】
一方、記憶部３ｋに記憶されるアドレス帳テーブル９は、アドレス帳登録処理の登録先となるテーブルであり、登録対象ごとに名称、電話番号、メールアドレス、ＵＲＬおよび住所等の事項を対応付けて登録できるようになっている。なお、登録対象は全ての事項に内容を登録しなくてもよい。
【００７１】
図９（ａ）は、アドレス帳テーブル９の登録対象の中から名称のみを抽出して作成されるアドレス帳４１を表示部４で表示した状態を示しており、アドレス帳４１は、端末プログラム７に含まれるアドレス帳用のプログラムの規定内容に基づきＣＰＵ３ａにより作成されている。アドレス帳４１は、上部に「あ行」「か行」および「さ行」等を選択できる五十音選択欄４１ａを設けると共に、選択中の行（図９（ａ）では「あ行」）に含まれる名称を羅列した羅列欄４１ｂを設けた構成になっており、羅列欄４１ｂには、上述したブックマーク４０と同様に上下可能な選択枠４１ｃが配置され、いずれか一つの名称を上述した選択部５での操作により選択できるようになっている。
【００７２】
図９（ｂ）は、図９（ａ）のアドレス帳４１の中の一つの名称（赤井氏）が選択された場合にＣＰＵ３ａの処理によりアドレス帳テーブル９の登録内容に基づき作成される詳細アドレス帳４２を表示部４で表示した状態を示している。この詳細アドレス帳４２も、アドレス帳用のプログラムの規定内容に基づきＣＰＵ３ａにより作成されており、図９（ａ）のアドレス帳４１で選択された名称に対応付けた電話番号、メールアドレスおよびＵＲＬ等がアドレス帳テーブル９から抽出されて羅列されたものになっている。
【００７３】
また、図７の記憶部３ｋに記憶される端末プログラム７は、サーバ装置１０が設けるウェブサイトの図５（ａ）の会員用トップページ３０の第３ボタン３０ｃに埋め込まれたコマンドと連動して、ＵＲＬ登録処理をＣＰＵ３ａが行うことを規定している。
【００７４】
具体的には、携帯電話機３が会員用トップページ３０を表示部４に表示した状態で、操作部５を通じて第３ボタン３０ｃの選択を受け付けると、第３ボタン３０ｃに埋め込まれたコマンドに基づきＣＰＵ３ａがメニュー画面データ７ａを記憶部３ｋから読み出し、図１０に示すように会員用トップページ３０に重ねて選択メニュー４５を表示する処理を行うことを端末プログラム７は、規定している。
【００７５】
図１０の選択メニュー４５は、アクセス中のウェブサイトのＵＲＬを登録する対象としてブックマーク（ブックマークテーブル８）を選択する第１欄４５ａと、アドレス帳（アドレス帳テーブル９）を選択する第２欄４５ｂを有し、各欄４５ａ、４５ｂは操作部５に含まれる上下キーおよび決定キーにより選択可能になっている。
【００７６】
第１欄４５ａの選択を受け付けた場合、端末プログラム７は、ＣＰＵ３ａがブックマーク登録処理を開始することを規定しており、会員用トップページ３０に埋め込まれているサイト名情報（楽曲ダウンロードサイト）およびサイト名情報に相当する振り分け用ＵＲＬ（例えば、http://poke.jp/melo/1000.htm）をヒモ付けた状態でブックマークテーブル８に登録（記憶部３ｋに記憶）する制御処理をＣＰＵ３ａが行う。なお、ブックマークテーブル８への登録後、所定の操作を行って表示部４での表示内容をブックマークに切り替えると、図８（ｂ）に示すように、ブックマーク４０の中に、新たに登録されたサイト名（楽曲ダウンロードサイト）が挙がった状態になる。
【００７７】
また、図１０に示す選択メニュー４５で、第２欄４５ｂの選択を受け付けた場合、端末プログラム７は、ＣＰＵ３ａがアドレス帳登録処理を開始することを規定しており、会員用トップページ３０に埋め込まれているサイト名情報（楽曲ダウンロードサイト）およびサイト名情報に相当する振り分け用ＵＲＬ（例えば、http://poke.jp/melo/1000.htm）を対応付けて、アドレス帳テーブル９に登録（記憶部３ｋに記憶）する制御処理をＣＰＵ３ａが行う。
【００７８】
アドレス帳テーブル９への登録後、所定の操作を行って表示部４での表示内容をアドレス帳の「か行」を表示するように画面切替を行うと、図１１（ａ）のアドレス帳４３に示すように、五十音選択欄４３ａの下方に位置する羅列欄４３ｂの中にサイト名情報（楽曲ダウンロードサイト）が配置された状態になっている。また、このサイト名情報（楽曲ダウンロードサイト）の選択操作が行われると、図１１（ｂ）の詳細アドレス帳４４に示すように、サイト名情報（楽曲ダウンロードサイト）と、それに対応付けられた振り分け用ＵＲＬ（http://poke.jp/melo/1000.htm）とが表示されるようになる。
【００７９】
次に、上述したサーバ装置１０が、会員未登録のユーザが有する携帯電話機（図１に示す携帯電話機３）からアクセスを受けて会員登録の処理を行う手順（本発明の携帯電話機特定方法に係る処理内容の一部）を、図１２の第１フローチャートに基づいて説明する。先ず、未登録のユーザが有する携帯電話機３が、楽曲データの配信サービスを行うウェブサイトを設けるサーバ装置１０へアクセスする（Ｓ１）。なお、この時点では、会員未登録であるため、携帯電話機３は、図１９に示す振り分け用ＵＲＬ又はＡ社用ＵＲＬに基づいてサーバ装置１０へアクセスすると共に、アクセスの際に携帯電話機３に固有の端末情報としてＵＩＤをサーバ装置１０へ送信する。また、携帯電話機３のユーザは、楽曲データの配信を希望し、会員への登録の意志を有するものである。
【００８０】
サーバ装置１０は、ＵＩＤのみの送信に基づくアクセスを受けると、会員未登録のユーザによる携帯電話機からのアクセスと判断し、図４（ａ）のゲスト用トップページ２８に応じたページデータをアクセス元の携帯電話機３へ送信する（Ｓ２）。なお、サーバ装置１０は、会員登録の処理が終了するまで、受信したＵＩＤを一時的にＲＡＭ１３に記憶する。また、ページデータを受信した携帯電話機３は、図４（ａ）に示すように、ゲスト用トップページ２８を表示部４に表示し、この状態で携帯電話機３は、会員登録の意志を有するユーザから表示した会員登録ボタン２８ａを選択する操作を受け付け、会員登録ボタン２８ａの選択の旨をサーバ装置１０へ送信する（Ｓ３）。
【００８１】
サーバ装置１０は、アクセス中の携帯電話機３から会員登録ボタン２８ａの選択の旨を受信すると、図４（ｂ）の登録用トップページ２９に応じたページデータを携帯電話機３へ送信する（Ｓ４）。携帯電話機３は、ページデータを受信すると、登録用トップページ２９を表示部４に表示して、ユーザから会員登録に必要な情報（氏名、パスワード等）の入力を受け付けてから、ユーザの送信ボタン２９ｂの選択操作を受け付けて、入力情報をサーバ装置１０へ送信する（Ｓ５）。
【００８２】
サーバ装置１０は、会員登録に必要な入力情報を受信すると、ＲＡＭ１３に一時的に記憶している携帯電話機３のＵＩＤに対して固有の会員番号を発行し（Ｓ６）、その発行した会員番号（1000）を会員用のパス名として含む携帯電話機３のユーザ専用となる振り分け用ＵＲＬ（http://poke.jp/melo/1000.htm）を生成する（Ｓ７）。さらにサーバ装置１０は、発行した会員番号、生成した振り分け用ＵＲＬおよび受信した入力情報をＲＡＭ１３に記憶しているＵＩＤに対応付けて登録会員テーブル２２に登録してハードディスク装置１５に記憶し（Ｓ８）、それから、会員登録の完了した会員用トップページをアクセス元の携帯電話機３で表示させるために、生成した振り分け用ＵＲＬを図５（ａ）の第３ボタンに関連付けて埋め込むと共に、会員のニックネーム（図５（ａ）では「Ｔａｒｏ」）を含む文章を配置した会員用トップページ３０に応じたページデータを、ハードディスク装置１５に記憶するページデータを利用して動的に生成し、そのページデータをアクセス中の携帯電話機３へ送信する（Ｓ９）。以上により、会員登録に係る処理は終了する。
【００８３】
また、図１３に示す第２フローチャートは、図１２の第１フローチャートにおいて図５（ａ）の会員用トップページ３０に応じたページデータがサーバ装置１０から携帯電話機３へ送信されて、表示部４で会員用トップページ３０が表示された場合でのＵＲＬ登録処理の手順（本発明の携帯電話機特定方法に係る処理内容の一部）を示している。以下、この第２フローチャートに従って、会員用トップページ３０に対する携帯電話機３での処理を説明する。
【００８４】
携帯電話機３は、会員用トップページ３０に配置された各ボタン３０ａ〜３０ｃのいずれの選択を受け付けたかを判断する（Ｓ１０）。いずれのボタンの選択も受け付けていない場合（Ｓ１０：選択無し）、携帯電話機３は選択待ちの状態になる。また、第１ボタン３０ａ又は第２ボタン３０ｂの選択を受け付けた場合（Ｓ１０：第１、２ボタン選択）、携帯電話機３は、各ボタン３０ａ、３０ｂに応じた処理を行う（Ｓ１１）。なお、この場合は、特にＵＲＬの登録処理を最後まで行うことなく、ＵＲＬの登録処理に関する範囲での処理を携帯電話機３は終了することになる。
【００８５】
また、第３ボタン３０ｃの選択を受け付けた場合（Ｓ１０：第３ボタン選択）、携帯電話機３は、図１０に示すようにトップページ３０に重ねて選択メニュー４５を表示部４に表示する処理を行う（Ｓ１２）。この選択メニュー４５でＵＲＬの登録先にブックマーク（第１欄４５ａ）又はアドレス帳（第２欄４５ｂ）のいずれが選択されたかを携帯電話機３は判断する（Ｓ１３）。ブックマークへの登録の選択を受け付けた場合（Ｓ１３：ブックマーク）、携帯電話機３は、第３ボタン３０ｃに関連付けて会員用トップページ３０に埋め込んだサイト名及び振り分け用ＵＲＬをブックマークテーブル８に登録する（Ｓ１４）。また、アドレス帳への登録の選択を受け付けた場合（Ｓ１３：アドレス帳）、携帯電話機３は、第３ボタン３０ｃに関連付けて会員用トップページ３０に埋め込んだサイト名及び振り分け用ＵＲＬをアドレス帳テーブル９に登録する（Ｓ１５）。
【００８６】
このような第２フローチャートに示す処理を行うことで、ユーザは、自身の会員用トップページ３０に応じたＵＲＬを、ブックマークテーブル８又はアドレス帳テーブル９のいずれにも登録できるため、将来的に変更予定の携帯電話機の機種および移行予定のキャリア等を考慮して、適切な登録先を選択できる。
【００８７】
例えば、キャリア移行の前後で携帯電話機のメーカが異なるため、ブックマークテーブル８の互換性が無いときは、アドレス帳テーブル９については少なくとも互換性が確保されることから、振り分け用ＵＲＬ等の登録先にアドレス帳テーブル９を選択し、キャリア移行時にアドレス帳テーブル９の登録内容を新たな携帯電話機に書き込めば、キャリア移行後もスムーズにサーバ装置１０が設けるウェブサイトへアクセスすることが可能となる。また、キャリア移行の前後で携帯電話機のメーカが同一であるため、ブックマークテーブル８の互換性が有るときは、振り分け用ＵＲＬ等の登録先にブックマークテーブル８を選択し、キャリア移行時にブックマークテーブル８の登録内容を新たな携帯電話機に書き込めば、キャリア移行後も容易にサーバ装置１０が設けるウェブサイトへアクセスできる。
【００８８】
また、図１４に示す第３フローチャートは、図１２の第１フローチャートで示した会員登録時のアクセス後に、別のアクセスとしてサーバ装置１０が登録ユーザの携帯電話機からアクセスを受けた場合の処理内容（本発明の携帯電話機特定方法に係る処理内容の一部）を示している。なお、会員登録時のアクセス後に、別のアクセスを行う登録ユーザが用いる携帯電話機については３通りの場合が想定でき、１つ目は会員登録後もユーザが引き続き図１２の第１フローチャートにおけるアクセスで使用したＡ社用の携帯電話機３を用いる場合であり、２つ目は会員登録後にユーザが同一キャリア（Ａ社）に対応する別の携帯電話機に変更した場合、３つ目は会員登録後にユーザがキャリア移行を行って、図１に示すＢ社用の携帯電話機１３０に変更した場合である。
【００８９】
なお、ユーザが上述した２つ目又は３つ目の場合に該当するように、携帯電話機３を他の携帯電話機（例えば、図１に示す携帯電話機１３０）へ変更する際、図１３の第２フローチャートで登録された振り分け用ＵＲＬを含むブックマークテーブル８又はアドレス帳テーブル９に登録されていた情報が、記憶媒体等を利用する移行時の処理を経て、新たな携帯電話機へ登録されるものとする。また、上述した２つ目の場合の新たな携帯電話機は上述したＡ社用の携帯電話機３（図７参照）とハード的な基本構成及びソフト的な処理内容は同等であり、また、３つ目の場合の新たな携帯電話機１３０は、対応するキャリアがＢ社用である以外は、上述したＡ社用の携帯電話機３（図７参照）とハード的な基本構成及びソフト的な処理内容は同等であるため、構成及び処理に関する説明は省略する。
【００９０】
図１４において先ず、登録ユーザは、携帯電話機３（会員登録後、ユーザが携帯電話機を変更した場合は、図１に示す携帯電話機１３０等）で、図１３の第２フローチャートで登録した振り分け用ＵＲＬに基づいてサーバ装置１０はアクセスして、振り分け用ＵＲＬに含まれる会員番号（1000）およびＵＩＤを送信する（Ｓ２０）。サーバ装置１０は、会員番号およびＵＩＤを受信すると、受信した会員番号およびＵＩＤをＲＡＭ１３に一時的に記憶すると共に、第３者の登録ユーザに対する「なりすまし」を防止するため、図６（ａ）のパスワード入力用のサイトページ３１に応じたページデータを携帯電話機３（又は携帯電話機１３０等）へ送信する（Ｓ２１）。
【００９１】
携帯電話機３（又は携帯電話機１３０等）は、ページデータを受信してパスワード入力用のサイトページ３１を表示して、ユーザから入力される会員登録時に登録したパスワードの入力を受け付けてサーバ装置１０へ送信する（Ｓ２２）。サーバ装置１０は、パスワードを受信すると、ＲＡＭ１３に記憶する会員番号と同じ番号に対応付けられたパスワードを登録会員テーブル２２から抽出し（Ｓ２３）、抽出したパスワードと、受信してＲＡＭ１３に記憶するパスワードが一致するか否かを判断する（Ｓ２４）。
【００９２】
両パスワードが一致しないと判断した場合（Ｓ２４：ＮＯ）、サーバ装置１０は、真の登録ユーザでないものからのアクセスと考えて、図４（ａ）のゲスト用トップページ２８に応じたページデータを携帯電話機３（又は携帯電話機１３０等）へ送信する（Ｓ２５）。
【００９３】
また、両パスワードが一致したことを判断した場合（Ｓ２４：ＹＥＳ）、サーバ装置１０は次に、受信した会員番号と同じ番号に対応付けられたＵＩＤを登録会員テーブル２２から抽出し（Ｓ２６）、抽出したＵＩＤと、受信してＲＡＭ１３に記憶するＵＩＤが一致するか否かを比較判断する（Ｓ２７）。両ＵＩＤが一致しないと判断した場合（Ｓ２７：ＮＯ）、サーバ装置１０は、図１４の第３フローチャートにおけるアクセスを行った携帯電話機と、図１２の第１フローチャートにおける会員番号の発行に係るアクセスを行った携帯電話機が相異する特定して、両ＵＩＤに含まれるキャリアを特定する情報に基づき両ＵＩＤに対応するキャリアが一致するか否かを判断する（Ｓ２８）。
【００９４】
キャリアが一致しないと判断した場合（Ｓ２８：ＮＯ）、サーバ装置１０は、上述した３つ目の場合で説明した「キャリアを移行してＢ社用の携帯電話機１３０に変更したとき」に該当すると判断し、キャリアの移行後にもアクセスしてきたことに感謝を示すため、サーバ装置１０は、図６（ｂ）の特典ページ３２に応じたページデータを携帯電話機１３０へ送信する（Ｓ２９）。さらに、サーバ装置１０は、今後に携帯電話機１３０からアクセスを受けた場合は通常通りに、図５（ａ）の会員用トップページ３０を表示できるように、登録会員テーブル２２に登録しているＵＩＤを、ＲＡＭ１３に記憶しているＵＩＤに置き換えてハードディスク装置１５に記憶する（Ｓ３０）。
【００９５】
このようにサーバ装置１０は、キャリア移行したユーザからのアクセスを判別できるので、キャリア移行を行ってもアクセスしてきたユーザに対して特典を付与できると共に、登録会員テーブル２２に格納されているサービス情報を参照することも可能となり、ユーザのお気に入り楽曲や、ダウンロード済みの楽曲に関する情報もキャリア移行後の新たな携帯電話機１３０へスムーズに移行することができる。なお、サーバ装置１０が設けるウェブサイトに対する会員登録に対する規約等により、登録時に用いる携帯電話機のキャリアを変更した場合、会員登録が自動的に解除されるような規定があるときは、図１４の第３フローチャートの特典ページ３２に応じたページデータを送信する段階（Ｓ２９）に合わせて、図４（ｂ）に示す登録用トップページ２９のような再登録用のページデータを送信すれば、ユーザを再登録へスムーズに導くことができる。
【００９６】
なお、図１４の第３フローチャートにおいて、キャリアが一致すると判断した場合（Ｓ２８：ＹＥＳ）、サーバ装置１０は、上述した２つ目の場合で説明した「キャリア移行せずに携帯電話機を変更したとき」に該当すると判断し、図５（ａ）の会員用トップページ３０に応じたページデータをアクセス元の携帯電話機（キャリア移行せずに変更した携帯電話機）へ送信する（Ｓ３１）。
【００９７】
また、図１４の第３フローチャートにおいて、ＵＩＤが一致すると判断した場合も（Ｓ２７：ＹＥＳ）、サーバ装置１０は、上述した１つ目の場合で説明した「会員登録後も継続して携帯電話機３を使用するとき」に該当すると判断し、図５（ａ）の会員用トップページ３０に応じたページデータをアクセス元の携帯電話機３へ送信する（Ｓ３１）。なお、第３フローチャートにおける範囲では、サーバ装置１０の処理は、ゲスト用トップページ２９に応じたページデータの送信（Ｓ２５）、ＵＩＤの置き換え（Ｓ３０）または会員用トップページ３０に応じたページデータの送信（Ｓ３１）により終了し、携帯電話機の処理もサーバ装置から送信されるページデータを受信することで処理を終了する。
【００９８】
なお、本発明は上述した実施形態に限定されるものではなく、様々な変形例の適用が可能である。例えば、サーバ装置１０は、会員登録後にアクセスしてきた携帯電話機が、キャリア移行を行った否かのみを特定するようにして、キャリア移行の無い携帯電話機の変更を特定する処理を省略するようにしてもよい。また、キャリア移行を行ったユーザがサーバ装置１０にアクセスしてきた場合、ウェブサイトの運営状況に合わせて特典情報の配信を省略することも勿論可能である。さらに、セキュリティに関する対応を低く設定しても特に問題が生じないようなネットワーク環境では、パスワードに関する処理を省略してもよい。
【００９９】
また、キャリア間におけるユーザの流動化に対応して、一旦キャリアを移行したユーザが、再度元のキャリアに戻ってきて、元のキャリアで以前、会員として利用していたサービスを申し込む場合（再入会の場合）などにも、特典を付与できるようにするときは、図１４の第３フローチャートにおけるキャリアが一致するか否かの判断段階（Ｓ２８）の処理を行わずに、ＵＩＤが一致しない場合（Ｓ２７：ＮＯ）は、特典ページのページデータの送信処理（Ｓ２９）を行うようにしてもよい。
【０１００】
さらに、図１４の第３フローチャートにおけるＵＩＤの置き換え（Ｓ３０）に関しては、記憶中のＵＩＤを新たなＵＩＤに置き換える以外に、記憶中のＵＩＤを残した状態で、新たなＵＩＤを会員番号と対応付けて登録会員テーブル２２に記憶するようにしてもよい。この場合、古いＵＩＤと新たなＵＩＤとには優先順位を表す情報を付加し、新たなＵＩＤの優先順位を高くして、図１４の第３フローチャートに係る処理を行う際には、優先順位の高い新たなＵＩＤを参照して処理を行うようにする。
【０１０１】
さらにまた、上述した説明では、サーバ装置１０が発行した会員番号は、ウェブサイトのＵＲＬに含ませてアクセス元の携帯電話機へ送信しているが、発行した会員番号をメール等でアクセス元の携帯電話機へ送信し、携帯電話機がサーバ装置１０へアクセスする際に、受信した会員番号を送信するような形態にしてもよい。また、図５（ａ）の会員用トップページ３０の第３ボタン３０ｃの選択に基づき、ウェブサイトのＵＲＬ（会員番号を含む振り分け用ＵＲＬ）を携帯電話機に登録する際は、サイト名も同時に登録する内容になっているが、サイト名の登録が不要なときは、会員用トップページ３０にサイト名情報の埋め込みを省略してもよい。また、図１０に示す選択メニュー４５は、必ずしもブックマーク又はアドレス帳の両方から選択するような形態に限定されるものではなく、登録先としてブックマークのみを選択できる形態又はアドレス帳のみを選択できる形態にしてもよい。
【０１０２】
さらに、振り分け用ＵＲＬの登録先をブックマークテーブル８又はアドレス帳テーブル９のいずれかに固定することも可能であり、この場合は、携帯電話機側での図１０に示す選択メニュー４５の表示処理を省略すると共に、図５（ａ）の会員用トップページ３０の替わりに、図１５（ａ）に示す変形例のサイトページ５０を適用する。
【０１０３】
図１５（ａ）に示すサイトページ５０は、第３ボタン５０ｃ以外は、図５（ａ）に示す会員用トップページ３０と同等であり、第３ボタン５０ｃ（登録選択部に該当）はアドレス帳（アドレス帳テーブル９）への登録を選択する内容になっている。また、第３ボタン５０ｃに関連付けてあるトリガー用のコマンドは、選択メニュー４５を立ち上がらせるものではなく、第３ボタン５０ｃが選択されると、トップページ５０に埋め込まれた振り分け用ＵＲＬ及びサイト名をアドレス帳テーブル９へ登録させる処理を携帯電話機３のＣＰＵ３ａに開始させるコマンドになっている。
【０１０４】
よって、このような変形例のトップページ５０を用いることで、携帯電話機３は、記憶部３ｋに記憶する端末プログラム７にメニュー画面データ７ａを含ませることが不要となり、端末プログラム７のプログラム量を削減できると共に、ユーザから登録先の選択を受け付ける処理ステップ（図１３中に示すＳ１３移行の処理ステップ）も省略でき、ＵＲＬの登録処理の簡易化を図れる。なお、図１５（ａ）のトップページ５０は、アドレス帳テーブル９への登録用にしているが、第３ボタン５０ｃに関連付けるコマンドに対する登録先をブックマークテーブル８にすることで、固定の登録先をブックマークテーブル８にすることも可能である。
【０１０５】
また、登録するＵＲＬは振り分け用ＵＲＬに限定されるものではなく、勝手サイトのＵＲＬのようにキャリアに依存しないＵＲＬを対象にすることも可能である。また、移行するキャリアを予め決定しているユーザが、キャリア移行後もスムーズにサーバ装置１０へアクセスできるように、各キャリア用ＵＲＬを登録対象にすることも可能である。この場合は、ウェブサイトのサイトページに埋め込むＵＲＬも所要のキャリア用ＵＲＬにする必要がある。
【０１０６】
図１５（ｂ）のトップページ５１は、図５（ａ）の会員用トップページ３０の替わりに適用される変形例のページであり、Ａ社からＢ社へキャリア移行するユーザのためにＢ社用ＵＲＬ（http://b-poke.jp/melo/1000.htm）の登録を行うための第３ボタン５１ｃ（登録選択部に相当）を設けると共に、Ａ社からＣ社へキャリア移行するユーザのためにＣ社用ＵＲＬ（http://c-poke.jp/melo/1000.htm）の登録を行うための第４ボタン５１ｄ（登録選択部に相当）を設けており、第３ボタン５１ｃに上述したＢ社用ＵＲＬ及びサイト名をリンクさせて埋め込むと共に、第４ボタン５１ｄに上述したＣ社用ＵＲＬ及びサイト名をリンクさせて埋め込んでいる。
【０１０７】
なお、各ボタン５１ｃ、５１ｄに関連付けるコマンドは、図１０に示す選択メニュー４５を立ち上げるコマンドにしてもよく、若しくは上述した変形例の図１５（ａ）のトップページ５０のようにブックマークテーブル８又はアドレス帳テーブル９のいずれかの固定された登録先へ登録を行う処理を開始させるコマンドにしてもよい。このように変形例のトップページ５１を用いることで移行先のキャリア用ＵＲＬをブックマークテーブル８又はアドレス帳テーブル９へ登録して、キャリア移行後の携帯電話機でスムーズに用いることができ、移行先のキャリアが決まっているユーザに好適な処理を行える。
【０１０８】
また、図１２の第１フローチャートのＳ９の段階でサーバ装置１０が送信するページデータに応じたサイトページは、図１６（ａ）に示すように、第１フローチャートのＳ７の段階で動的に生成したＵＲＬを選択可能に配置したサイトページ６０にしてもよい。このサイトページ６０は、配置したＵＲＬに関連付けて図１６（ｂ）に示すような選択メニュー６３を立ち上げるコマンドを埋め込んでおり、携帯電話機３は、この選択メニュー６３に応じたメニュー画面データを予め記憶しておくことになる。
【０１０９】
この場合、サーバ装置１０から送信された図１６（ａ）のサイトページ６０に応じたページデータを携帯電話機３が受信すると、携帯電話機３は、図１３の第２フローチャートの処理を行うのではなく、図１７に示す変形例の第４フローチャートが表した処理を行うことになる。即ち、携帯電話機３は、サイトページ６０を表示し（Ｓ４０）、表示したＵＲＬの選択を受け付けると、選択対象に「http://」で始まる文字列が存在することを認識して、選択メニュー６３を表示する（Ｓ４１）。それから携帯電話機３は、選択メニュー６３で第１欄６３ａ〜第３欄６３ｃのいずれか選択されたかを判断する（Ｓ４２）。
【０１１０】
第１欄６３ａのブックマークへの登録が選択された場合（Ｓ４２：ブックマーク）、携帯電話機３は、振り分け用ＵＲＬをブックマークテーブル８へ登録する処理を行う（Ｓ４３）。また、第２欄６３ｂのアドレス帳への登録が選択された場合（Ｓ４２：アドレス帳）、携帯電話機３は、振り分け用ＵＲＬをアドレス帳テーブル９へ登録する処理を行う（Ｓ４４）。さらに、第３欄６３ｃのＵＲＬに基づくアクセスが選択された場合（Ｓ４２：アクセス）、携帯電話機３は、ＵＲＬを用いてサーバ装置１０へアクセスすることになる（Ｓ４５）。このように、上述した変形例では、所定のＵＲＬをブックマークテーブル８又はアドレス帳テーブル９へ登録することを自由に選択できるため、キャリア移行時に各テーブル８、９に登録された情報を移行すれば、所定のＵＲＬを容易に移行できることに加えて、ＵＲＬに基づくアクセスも選択できるため、特に登録を要しないときの処理もスムーズに行える。
【０１１１】
なお、図１６に示す選択メニュー６３でも、登録先をブックマーク又はアドレス帳の両方から選択する形態以外に、登録先としてブックマークのみを選択できる形態又はアドレス帳のみを選択できる形態にしてもよい。また、各ＵＲＬを関連付ける登録選択部は、図５（ａ）に示す第３ボタン３０ｃ、図１５（ａ）に示す第３ボタン５０ｃ、図１５（ｂ）に示す各ボタン５１ｃ、５１ｄのようなボタン形状に限定されるものではなく、文字又は図柄等を選択可能（クリック可能）に配置したものを、選択処理部にしてもよい。
【図面の簡単な説明】
【０１１２】
【図１】本発明の実施形態に係る携帯電話特定システムの全体的な構成を示す概略図である。
【図２】本発明に係るサーバ装置の内部構成を示すブロック図である。
【図３】登録会員テーブルを示す図表である。
【図４】（ａ）はゲスト用トップページを示す概略図であり、（ｂ）は登録用トップページを示す概略図である。
【図５】（ａ）は会員用トップページを示す概略図であり、（ｂ）は会員用トップページに埋め込まれた情報を示す図である。
【図６】（ａ）はパスワード入力用のサイトページを示す概略図であり、（ｂ）は特典ページを示す概略図である。
【図７】携帯電話機の内部構成を示すブロック図である。
【図８】（ａ）はブックマークを示す概略図、（ｂ）は新たに登録されたサイト名を含むブックマークを示す概略図である。
【図９】（ａ）はアドレス帳を示す概略図、（ｂ）は詳細アドレス帳を示す概略図である。
【図１０】選択メニューを示す概略図である。
【図１１】（ａ）は新たに登録されたサイト名を含むアドレス帳を示す概略図、（ｂ）は新たに登録されたサイト名に対応した詳細アドレス帳の概略図である。
【図１２】会員登録処理に対応した携帯電話機特定方法に係る第１フローチャートである。
【図１３】ＵＲＬ登録処理に対応した携帯電話機特定方法に係る第２フローチャートである。
【図１４】携帯電話の特定処理に対応した携帯電話機特定方法に係る第３フローチャートである。
【図１５】（ａ）は変形例に係るサイトページを示す概略図、（ｂ）は別の変形例に係るサイトページを示す概略図である。
【図１６】（ａ）はＵＲＬを選択可能に配置したサイトページを示す概略図、（ｂ）は変形例の選択メニューを示す概略図である。
【図１７】変形例のＵＲＬ登録処理に対応した携帯電話機特定方法に係る第４フローチャートである。
【図１８】携帯電話機向けの通信ネットワークシステムに係る構成を示す概略図である。
【図１９】振り分け用ＵＲＬと各キャリア用ＵＲＬとの関係を示す説明図である。
【符号の説明】
【０１１３】
３  （Ａ社用）携帯電話機
７  端末プログラム
８  ブックマークテーブル
９  アドレス帳テーブル
１０  サーバ装置
１５  ハードディスク装置
２１  サーバプログラム
２２  登録会員テーブル
２３  ウェブサイトコンテンツデータ
３０  会員用トップページ
３０ｃ  第３ボタン
３２  特典ページ
４５、６３  選択メニュー
１３０  （Ｂ社用）携帯電話機
ＮＷ  ネットワーク
【図１】
2008078956.tif 000003
【図２】
2008078956.tif 000004
【図３】
2008078956.tif 000005
【図４】
2008078956.tif 000006
【図５】
2008078956.tif 000007
【図６】
2008078956.tif 000008
【図７】
2008078956.tif 000009
【図８】
2008078956.tif 000010
【図９】
2008078956.tif 000011
【図１０】
2008078956.tif 000012
【図１１】
2008078956.tif 000013
【図１２】
2008078956.tif 000014
【図１３】
2008078956.tif 000015
【図１４】
2008078956.tif 000016
【図１５】
2008078956.tif 000017
【図１６】
2008078956.tif 000018
【図１７】
2008078956.tif 000019
【図１８】
2008078956.tif 000020
【図１９】
2008078956.tif 000021